(57)【要約】【目的】本発明は建築、構築物の既存外壁面を新規外壁で改修するための構造に関するものである。さらに詳しくは、新規の外壁を取り付けるためのアンカー金具を、既存外壁に直接固定したものとすることによって、既存外壁の損傷を最小とし、しかも新規外壁の取付強度も充分な既存外壁の改修下地構造に関するものである。【構成】既存外壁Ａの一部を除去して形成した開口部１を介して既存外壁に固定されたアンカー金具１１に、胴縁２１の一面が直接あるいは受具１２を介して固定されていることを特徴とする既存外壁の改修下地構造。【選択図】図１
2004285697.tif 000002
【特許請求の範囲】
【請求項１】
既存外壁の一部を除去して形成した開口部を介して既存外壁に固定されたアンカー金具に、胴縁が直接あるいは受具を介して固定されていることを特徴とする既存外壁の改修下地構造。
【発明の詳細な説明】
【０００１】
【発明の属する技術分野】
本発明は建築、構築物の既存外壁面を改修するための下地構造に関するものである。さらに詳しくは、新規の外壁を取り付けるためのアンカー金具を既存外壁に直接固定する際に、既存外壁の損傷を最小とし、しかも、新規の外壁の取付強度も充分な既存外壁の改修下地構造に関するものである。
【０００２】
【従来の技術】
一般に、改修下地構造としては、▲１▼既存外壁に新規外壁を直接釘等で固定する方法や▲２▼既存外壁を全て撤去して新規外壁を取り付ける方法等がある。
【０００３】
【特許文献１】
特開昭６１−２４７５４号
【０００４】
【発明が解決しようとする課題】
上記▲１▼の方法では新規壁材を固定、保持するための強度不足や既存外壁の表面の凹凸による不陸等の欠点があり、▲２▼の方法では既存外壁をすべて撤去した場合の撤去費用や撤去した廃材の処理、工事期間中の建物の使用を中止しなければならない等の欠点があった。
【０００５】
【課題を解決するための手段】
既存外壁の一部を除去して形成した開口部を介して既存外壁に固定されたアンカー金具に胴縁が直接あるいは受具を介して固定された構造とすることにより、既存外壁に起因した制約等を可能な限り除去できる既存外壁の改修下地構造を提案する。
【０００６】
【発明の実施の形態】
以下に図面を用いて、本発明に係る既存外壁の改修下地構造について、詳細に説明する。
【０００７】
Ａは既存外壁でＡＬＣ造、鉄筋コンクリート（ＲＣ）造、プレキャストコンクリート（ＰＣ）造、コンクリートブロック造などからなるものである。
【０００８】
Ｂは新規外壁で、たとえば図２に一点鎖線で示すように本発明の下地構造による胴縁上に張設される任意の外壁であり、外壁としては乾式外壁材や湿式外壁材等が考えられるが、下地材に対する負荷、工期、コスト面等を考慮すると乾式外壁材がより好ましい。
【０００９】
１は開口部であり、既存外壁Ａにホールソー、電動ドリル等の孔開け機器を用いて形成される。その形状や大きさは後述するアンカー金具１１の一端が挿入できる程度であれば任意である。
【００１０】
アンカー金具１１は、開口部１を介して一面（表面板１１ａ）を表面側に配置し、他面（裏面板１１ｂ）を既存外壁Ａの裏面側に配置し、これら表、裏面板１１ａ、１１ｂによって既存外壁Ａを挟み込むようにして固定されている。
【００１１】
たとえばアンカー金具１１は図５に示すように、開口部１に挿入された裏面板１１ｂが既存外壁Ａの裏面Ａ１で図５（ｂ）の矢印のように下に落としこまれ、図５（ｃ）のように表面板１１ａ側からボルトまたはネジ１４が挿入されて既存外壁Ａの裏面板に設けたナット部１２ｃに螺合される。さらに、開口部１はホールソー等により円柱状に除去されたものならば、アンカー金具１１が固定された後に、この円柱状の除去物２が開口部１に埋め戻されていることがある。
【００１２】
またアンカー金具１１の他の例としては、既存外壁の裏面Ａ１にナット部１１ｃを有した裏面板１１ｂに表面側からボルト１４が螺合されるものがある。  図６（ａ）に示すように裏面板１１ｂが折り込まれて開口部１に挿入され、図６（ｂ）のように裏面板１１ｂが裏面Ａ１に達した後に、ガイド部１１ｄが引っ張られ、余分が切断され、表面板１１ａが仮固定され、図６（ｃ）のように、たとえば後記する受具１２を介し表面側からナット部１１ｃに向けてボルト１４が挿入螺合されたものである。
【００１３】
１２は受具で、必要に応じて用いられるものであり、胴縁２１の形状によりアンカー金具１１と直接に固定されない場合、たとえばリップ鋼からなる胴縁２１の開口面側と金具１１とが固定されるために用いられる。金具１１の形状はたとえば、図９に示すようなＬ字状、Ｊ字状、コ字状のものである。
【００１４】
２１は胴縁で、図４に示すように新規外壁Ｂを取り付けるための下地となるものであり、アンカー金具１１の表面板１１ａに直接あるいは受具１２を介して固定されている。胴縁２１は既存外壁の表面側において図１のように鉛直方向あるいは図３のように水平方向に複数本形成されている。また胴縁２１は軽量化やコスト等を考慮し、主にリップ溝形綱、軽量溝形綱等の軽量形綱材が使用される。なお、図１、３に示すゴムシート等の不陸調整用スペーサー２２を胴縁２１と既存外壁Ａとの間に挟みこんだ構造とすることもできる。
【００１５】
もちろん、アンカー金具１１あるいは受具１２の固定部や連結部に各種長穴が予め穿設されていることで、胴縁２１の固定や連結の調整が容易となる。また図示しないが固定部や連結部には必要に応じてパッキング材が用いられることがある。
【００１６】
１３は気密性被覆材であり、例えば図５（ｃ）の埋め戻し用除去物２と開口部１との隙間や図示しないが固定用のビス、ボルト１４等の周りに配設されることもある。
【００１７】
【発明の効果】
以上説明したように本発明に係る既存外壁の改修下地構造によれば、▲１▼既存外壁を解体する必要がないので施工工数を低減できると共に、工期を大幅に短縮することができ、しかも施工中の居住や利用に何等支障を来さない。▲２▼既存外壁上に新規外壁を形成するので、施工が簡単でコストを低減できる。▲３▼既存外壁と新規外壁との２重壁構造となり、断熱性、防音性、防火性に富む構造となる。▲４▼アンカー金具の施工が容易で、スペーサーを介在すれば、既存外壁の張り上がりの美観性がより向上する。▲５▼胴縁としてリップ溝形鋼を使用すれば材料コストや下地材への負担を軽減できる。▲６▼また受具によってリップ溝形鋼の開口面側での固定が可能となり、切れの無い対面を有効に活用して新規外壁を取り付けることができる。▲７▼既存外壁の状態に応じて同一、または異種のアンカー金具数を複数使用することで、胴縁の座屈、撓み（横振）等が防止でき改修下地の強度が大幅に向上する。等の特徴、効果がある。
【図面の簡単な説明】
【図１】本発明に係る既存外壁の改修下地構造の代表的な一例を示す説明図である。
【図２】図１に示す既存外壁の改修下地構造の断面図である。
【図３】本発明に係る既存外壁の改修下地構造のその他の実施例を示す説明図である。
【図４】図３に示す既存外壁の改修下地構造の断面図である。
【図５】本発明に係るアンカー金具の代表的な一例を示す説明図である。
【図６】本発明に係るアンカー金具のその他の例を示す説明図である。
【図７】本発明に係る既存外壁の改修下地構造に用いられる受具の例を示す説明図である。
【図８】本発明に係るアンカー金具のその他の例を示す説明図である。
【図９】本発明に係る受具のその他の例を示す説明図である。
【符号の説明】
Ａ．既存外壁
Ｂ．新規外壁
１．開口部
２．埋め戻し用除去物
１１．アンカー金具
１１ａ．表面板
１１ｂ．裏面板
１１ｃ．ナット部
１１ｄ．ガイド部
１２．受具
１３．気密性被覆材
１４．ボルト
２１．胴縁
２２．調整用スペーサー
【図１】
2004285697.tif 000003
【図２】
2004285697.tif 000004
【図３】
2004285697.tif 000005
【図４】
2004285697.tif 000006
【図５】
2004285697.tif 000007
【図６】
2004285697.tif 000008
【図７】
2004285697.tif 000009
【図８】
2004285697.tif 000010
【図９】
2004285697.tif 000011